(57)【要約】      （修正有）【課題】湿式材料の使用量を抑えるとともに床パネルに対する加工量を抑えた工法の提供【解決手段】梁１と床パネル２とを接合金物５を用いて接続する。接合金物５は、梁１のフランジ３の下面に当接する梁当接部５５および床パネル２の下面に当接するパネル当接部５６を一体に備えたベース板５４を備えている。また、梁当接部５５から上側に延出して、フランジ３に設けられたピン孔１１に下側から挿入されるピン５１を備えている。さらに、パネル当接部５６から上側に延出して床パネル２に設けられたボルト孔２２に下側から挿入されるボルト５３と、梁１の下側から梁１に弾性変形しながら係合して接合金物５を梁１に仮固定する仮固定用ばね５２とを備えている。ボルト５３と座金５９およびナット７７により接合金物５が床パネル２に締結される。ボルト５３とボルト孔２２の隙間は湿式材料３１が充填される。【選択図】図４
2011111818.tif 000002
【特許請求の範囲】
【請求項１】
互いに平行に配置された鉄骨梁間に架け渡されて敷き詰められた床パネルを備える剛床構造であって、
前記鉄骨梁に載せられる床パネルの端部と前記鉄骨梁とを接合する接合部材と、隣り合う前記床パネルに跨って設けられ、前記床パネル間の相対移動を規制する移動規制部材とを備え、
前記接合部材は、前記鉄骨梁のフランジの下面に当接する梁当接部および前記床パネルの下面に当接するパネル当接部を一体に備えたベース部材と、前記梁当接部から上側に延出して、前記フランジに設けられたピン孔に下側から挿入されるピンと、前記パネル当接部から上側に延出して前記床パネルに設けられたボルト孔に下側から挿入されるボルトと、前記鉄骨梁の下側から当該鉄骨梁に弾性変形しながら係合して前記接合部材を前記鉄骨梁に仮固定する仮固定部材とを備え、
前記フランジのピン孔にピンが挿入されるとともに、前記床パネルの前記ボルト孔にボルトが挿入され、かつ、前記仮固定部材により前記接合部材が前記鉄骨梁に仮固定された状態で、前記ボルトと座金およびナットにより前記接合部材が前記床パネルに締結され、
前記ボルトと前記ボルト孔の隙間に湿式材料が充填されていることを特徴とする剛床構造。
【請求項２】
前記移動規制部材が、隣り合う前記床パネル間に渡って配置されるとともに、当該床パネルの上面に固定される板状の下地材であることを特徴とする請求項１に記載の剛床構造。
【請求項３】
前記移動規制部材が、隣り合う前記床パネル間で重なって一つの凹部となるように前記床パネルの側縁部に設けられた切欠部に充填されて硬化した硬化材であることを特徴とする請求項１に記載の剛床構造。
【請求項４】
互いに平行に配置された鉄骨梁間に床パネルを架け渡して敷き詰めて形成される床を剛床構造とする剛床工法であって、
前記鉄骨梁のフランジの下面に当接する梁当接部および前記床パネルの下面に当接するパネル当接部を一体に備えたベース部材と、前記梁当接部から上側に延出して、前記フランジに設けられたピン孔に下側から挿入されるピンと、前記パネル当接部から上側に延出して前記床パネルに設けられたボルト孔に下側から挿入されるボルトと、前記鉄骨梁の下側から当該鉄骨梁に弾性変形しながら係合して前記接合部材を前記鉄骨梁に仮固定する仮固定部材とを備える接合部材を用い、
前記フランジの前記ピン孔に前記ピンを挿入するとともに、前記床パネルの前記ボルト孔に前記ボルトを挿入し、かつ、前記仮固定部材により前記接合部材を前記鉄骨梁に仮固定した状態で、前記ボルトと座金およびナットにより前記接合部材を前記床パネルに締結し、
前記ボルトと前記ボルト孔の隙間に湿式材料を充填し、
前記床パネル間の相対移動を規制する移動規制部材を隣り合う前記床パネルに跨って設けることを特徴とする剛床工法。
【請求項５】
前記床パネル間の相対移動を規制する移動規制部材を隣り合う前記床パネルに跨って設けるに際し、前記移動規制部材としての板状の下地材を、隣り合う前記床パネル間に渡って配置するとともに、当該床パネルの上面に固定することを特徴とする請求項４に記載の剛床工法
【請求項６】
前記床パネル間の相対移動を規制する移動規制部材を隣り合う前記床パネルに跨って設けるに際し、隣り合う前記床パネル間で一体の凹部となるようにそれぞれの床パネルの側縁部に切欠部を設け、当該切欠部に前記移動規制部材としての硬化材を充填して硬化させることを特徴とする請求項４に記載の剛床構造。
【発明の詳細な説明】
【技術分野】
【０００１】
本発明は、軽量気泡コンクリート（ＡＬＣ）板等の床パネルを使用する鉄骨造建築の床、平屋根等において、床パネルを相互に一体化するとともに、それらを鉄骨梁に緊結した剛床構造と、当該剛床構造を構築する剛床工法に関する。
【背景技術】
【０００２】
鉄骨造建築の床や平屋根は、主としてデッキプレートとコンクリートの合成床板や鉄筋コンクリート床板によるものと、ＡＬＣ板等の床パネルによるものがある。
前者は、現場でコンクリートが打設され、床板と鉄骨梁とは頭付きスタッド等で緊結されるので、地震時において床面に作用する面内剪断力を床板が負担することができる。したがって、床面ブレースは不要である。また、床板が梁の上フランジの移動を拘束するので、小梁の場合の横座屈止めが不要となる。このように床面に作用する面内剪断力を床板が負担できる床構造は、一般的に剛床構造と呼ばれる。
【０００３】
後者の場合の一般的な施工法は、床パネルを梁の上に並べて、床パネルが移動したり梁から浮き上がったりしないように固定しているだけであり、床面の面内剪断力を負担することはできない。したがって、一般的には、面内剪断力を処理するために床面ブレースが設けられる。また、小梁の横座屈止めも必要となる。
【０００４】
床面ブレースは、床パネルより下側に配置され、床面の下側となる天井の設備配管工事や吸音材工事、カーテンボックス工事等の障害になるだけでなく、ブレース自体の製造と工事のコストもかかる。そのため、床パネル同士および床パネルと鉄骨梁を緊結する剛床構造が求められている。
例えば、鉄筋の両端に支持金物が溶接された剛床金物を床パネルの目地部に設置し、両端の支持金物をそれぞれ床パネルが掛け渡される二本の鉄骨梁にワンサイド接合具で結合し、鉄筋が入る床パネルの目地部と支持金物が設置される床パネルの切欠部にはモルタルを充填して構成される剛床構造が提案されている（例えば、特許文献１参照）。
【０００５】
また、コーナー部に継手ナットが突出固定された切欠部を形成した床パネルを二本の梁の上に並べ、床パネルの切欠部において、支持金具を梁にボルトで固定し、支持金具と床パネルをボルトで固定する剛床構造が提案されている（例えば、特許文献２参照）。
【先行技術文献】
【特許文献】
【０００６】
【特許文献１】特開平９−２２１８６１号公報
【特許文献２】特開平８−１２０８１４号公報
【発明の概要】
【発明が解決しようとする課題】
【０００７】
ところで、特許文献１に記載の剛床構造では、剛床金物の形状が、床パネルと同じ長さの鉄筋の両端に支持金物がついている形状のため、金物全体の重量が重く、取り扱いが不便であるとともに、運搬も不便である。
さらに、目地とパネルの切欠部に大量のモルタルを充填する必要があるので、施工の手間が掛かるとともに、コストも高くなってしまう。
【０００８】
また、特許文献２に記載の剛床構造では、床パネルの製造時に、当該床パネルのコーナー部を切り欠いて継手ナットおよびその定着用の鉄筋を仕込むことは大幅なコスト増になる。
さらに、支持金具を床パネルに締結する際に、切欠部の狭い場所で横方向にボルトを挿入、締め付けをしなければならないので、施工が難しい。
【０００９】
本発明は、このような事情に鑑みてなされたもので、モルタル等の湿式材料の使用量を最小限に抑えるとともに、床パネルに対する加工を最小限に抑え、かつ、施工性に優れるとともに、製作、施工の全体コストを最小限に抑えることができる剛床構造および剛床工法を提供することを目的とする。
【課題を解決するための手段】
【００１０】
前記課題を解決するために、請求項１に記載の剛床構造は、互いに平行に配置された鉄骨梁間に架け渡されて敷き詰められた床パネルを備える剛床構造であって、前記鉄骨梁に載せられる床パネルの端部と前記鉄骨梁とを接合する接合部材と、隣り合う前記床パネルに跨って設けられ、前記床パネル間の相対移動を規制する移動規制部材とを備え、前記接合部材は、前記鉄骨梁のフランジの下面に当接する梁当接部および前記床パネルの下面に当接するパネル当接部を一体に備えたベース部材と、前記梁当接部から上側に延出して、前記フランジに設けられたピン孔に下側から挿入されるピンと、前記パネル当接部から上側に延出して前記床パネルに設けられたボルト孔に下側から挿入されるボルトと、前記鉄骨梁の下側から当該鉄骨梁に弾性変形しながら係合して前記接合部材を前記鉄骨梁に仮固定する仮固定部材とを備え、前記フランジのピン孔にピンが挿入されるとともに、前記床パネルの前記ボルト孔にボルトが挿入され、かつ、前記仮固定部材により前記接合部材が前記鉄骨梁に仮固定された状態で、前記ボルトと座金およびナットにより前記接合部材が前記床パネルに締結され、前記ボルトと前記ボルト孔の隙間に湿式材料が充填されていることを特徴とする。
【００１１】
請求項２に記載の剛床構造は、請求項１に記載の発明において、前記移動規制部材が、隣り合う前記床パネル間に渡って配置されるとともに、当該床パネルの上面に固定される板状の下地材であることを特徴とする。
【００１２】
請求項３に記載の剛床構造は、請求項１に記載の発明において、前記移動規制部材が、隣り合う前記床パネル間で重なって一つの凹部となるように前記床パネルの側縁部に設けられた切欠部に充填されて硬化した硬化材であることを特徴とする。
【００１３】
請求項４に記載の剛床工法は、互いに平行に配置された鉄骨梁間に床パネルを架け渡して敷き詰めて形成される床を剛床構造とする剛床工法であって、前記鉄骨梁のフランジの下面に当接する梁当接部および前記床パネルの下面に当接するパネル当接部を一体に備えたベース部材と、前記梁当接部から上側に延出して、前記フランジに設けられたピン孔に下側から挿入されるピンと、前記パネル当接部から上側に延出して前記床パネルに設けられたボルト孔に下側から挿入されるボルトと、前記鉄骨梁の下側から当該鉄骨梁に弾性変形しながら係合して前記接合部材を前記鉄骨梁に仮固定する仮固定部材とを備える接合部材を用い、前記フランジの前記ピン孔に前記ピンを挿入するとともに、前記床パネルの前記ボルト孔に前記ボルトを挿入し、かつ、前記仮固定部材により前記接合部材を前記鉄骨梁に仮固定した状態で、前記ボルトと座金およびナットにより前記接合部材を前記床パネルに締結し、前記ボルトと前記ボルト孔の隙間に湿式材料を充填し、前記床パネル間の相対移動を規制する移動規制部材を隣り合う前記床パネルに跨って設けることを特徴とする。
【００１４】
請求項５に記載の剛床工法は、請求項４に記載の発明において、前記床パネル間の相対移動を規制する移動規制部材を隣り合う前記床パネルに跨って設けるに際し、前記移動規制部材としての板状の下地材を、隣り合う前記床パネル間に渡って配置するとともに、当該床パネルの上面に固定することを特徴とする。
【００１５】
請求項６に記載の剛床工法は、請求項４に記載の発明において、前記床パネル間の相対移動を規制する移動規制部材を隣り合う前記床パネルに跨って設けるに際し、隣り合う前記床パネル間で一体の凹部となるようにそれぞれの床パネルの側縁部に切欠部を設け、当該切欠部に前記移動規制部材としての硬化材を充填して硬化させることを特徴とする。
【発明の効果】
【００１６】
請求項１および請求項４に記載の発明においては、接合部材が梁のフランジのピン孔にピンを挿入することで取り付けられるので、ボルトで締結するような場合と比較して作業性が向上する。また、フランジの下側からピン孔にピンを挿入する場合に、ピンの上端が梁の上面より上に出る可能性がある。また、梁に係合する仮固定部材の上端も梁の上面より上に出る可能性がある。したがって、梁の上面に床パネルの端部が載った状態では、床パネルの下面にピンや仮固定部材を避けるための切欠部を設ける必要があるが、当該切欠部の大きさや深さ等を小さなものとすることができる。
【００１７】
すなわち、ボルトで鉄骨梁と接合金物とを締結する場合には、ボルトを避けるための最小限度の空間だけではなく、ボルトの締結作業用の空間が必要となり、床パネルに形成される切欠部が大きくなってしまうのに対して、本発明では、梁のフランジのピン孔に接合金物のピンが挿入されるだけなので、切欠部をピンや仮固定部材を避ける最低限度の大きさとすることができる。
【００１８】
また、接合部材は、床パネルにボルトで締結され、床パネルに対する接合金物の位置が固定されることになる。これにより、鉄骨梁の上に載った状態となる床パネルの端部と、鉄骨梁の下側に配置される梁当接部との位置が固定される。したげって、梁当接部の位置が梁の下面に固定され、梁当接部を有する接合金物が床パネルに固定されていることから、鉄骨梁から床パネルが浮き上がらないように鉄骨梁に床パネルが固定された状態となる。また、鉄骨梁のフランジのピン孔にピンが挿入されていることで、鉄骨梁と床パネルに締結された接合部材との間で水平方向の力が伝達されることになる。
【００１９】
このような接合金物によって鉄骨梁と床パネルが接合された状態となる。また、移動規制部材により隣り合う床パネルどうしの相対移動（水平方向の相対移動）が規制されるので、床パネルを用いた床を剛床構造とすることができる。これにより、床面ブレースと小梁の横座屈止めが省略でき、作業性の向上とコストの低減を図れるとともに、天井の設備配管工事や吸音材工事、カーテンボックス工事の作業が容易となる。
【００２０】
また、上述のように接合部材を用いた鉄骨梁への床パネルの接合作業は、ピン孔にピンを挿入するとともに、ボルト孔にボルトを挿入して仮固定部材により鉄骨梁に接合部材を仮固定した状態で、ボルトに座金を介してナットを螺合させて接合部材に床パネルを締結し、ボルトとボルト孔の隙間に湿式材料を充填するだけであり、作業性がよい。また、床パネルどうしの相対移動が移動規制部材で規制されるので、例えば、接合部材に床パネルを締結するためのボルトを一本として、接合部材に対して床パネルが回転可能な構造としても問題がなく、接合部材のボルトを一本とするとともに床パネルのボルト孔を一つとして、構造の簡略化と締結作業の省力化を図ることができる。
【００２１】
また、床パネルには、前記ボルト孔と、例えば、ボルトの上端が床パネル上に出るのを防止するための座掘りと、上述のピン等を避けるための切欠部を設ければよく、床パネルの加工が簡単なものとなり、床パネルの加工によるコストの増大を防止できる。また、床パネルに多くの加工や大きな加工を施すことにより、床パネルの強度が低下するのを防止することができる。さらに上述のようにボルト孔を一つとした場合に、床パネルの加工をさらに少ないものとすることができる。
また、ボルト孔とボルトとの隙間に湿式材料を充填するものとしても、湿式材料の使用量は僅かなものとなり、充填も短時間で終わることになり、コストの増大を防止することができる。
【００２２】
請求項２および請求項５に記載の発明においては、移動規制部材として、住宅となる鉄骨造建築物で一般的に用いられる床仕上げ材の下地材（例えば、合板やパーティクルボード）を用いることができ、下地材を隣り合う床パネル間に渡って配置するとともに、タッピンねじ等で、床パネルに固定するだけなので、移動規制部材を用いることによるコストの増大を防止することができる。
【００２３】
請求項３および請求項６に記載の発明においては、前記下地材を用いない床構造においても、硬化材を移動規制部材として、剛床構造を構築することができる。なお、移動規制部材としての硬化材を用いる工法を、下地材を使用する床構造に用いてもよい。
【図面の簡単な説明】
【００２４】
【図１】本発明の実施の形態に係る剛床構造を示す要部斜視図である。
【図２】前記剛床構造で用いられる床パネルを示す図であって、（ａ）は平面図であり、（ｂ）は側面図であり、（ｃ）底面図である。
【図３】前記剛床構造で用いられる接合金物を示す図であって、（ａ）は側面図であり、（ｂ）は正面図であり、（ｃ）は底面図である。
【図４】前記剛床構造を示す要部断面図である。
【図５】前記剛床構造を示す要部底面図である。
【図６】前記剛床構造の床パネルの接合金物との締結部分を示す平面図である。
【図７】前記剛床構造で用いられるワッシャを示し、（ａ）は平面図であり、（ｂ）は側面図である。
【図８】前記剛床構造の変形例を示す要部斜視図である。
【発明を実施するための形態】
【００２５】
以下、本発明の実施の形態を図面に基づいて説明する。
図１〜図７に示すように、この例の剛床構造は、例えば、鉄骨造建築で梁（鉄骨梁）１どうしの間に掛け渡されるＡＬＣ板等の床パネル２により構築される床や平屋根に適用されるものである。梁１は、例えば、Ｈ形鋼からなり、フランジ３とウェブ４とを有する。床パネル２は、ＡＬＣや、その他周知の素材からなるものであり、長尺な矩形状に形成されている。
剛床構造においては、互いに平行で同じ高さ位置にある２本の梁１の間に架け渡された状態に床パネル２が配置されている。また、床パネルの長手方向は、梁１の長手方向と直交する配置となっている。
【００２６】
床パネル２の端部は、梁１のフランジ３の上に載置された状態となっている。なお、梁１のフランジ３上には、ウェブ４の位置を境に、２つの床パネル２が端面どうしを付き合わせた状態で配置されるようになっている。また、梁１のフランジ３と床パネル２の端部が接合金物（接合部材）５を介して接続されている。また、床パネル２の上面側には、合板やパーティクルボードからなる床仕上げの板状の下地材（移動規制部材）６が固定されている。
【００２７】
梁１は、その上側のフランジ３に、接合金物５の後述のピン５１を挿入するためのピン孔１１が設けられている。ピン孔１１は、梁１の床パネル２の載置位置に対応して設けられている。すなわち、梁１のフランジ３には、当該梁１の長手方向に直交する床パネル２の中心線を挟んで一つの床パネル２用に一対のピン孔１１が設けられている。一対のピン孔１１とその隣の一対のピン孔１１とは、床パネル２の幅に対応する間隔があけられている。また、上述のように壁際の梁１を除いて、梁１の上側には、ウェブ４を境に端面どうしを突き合わせて、梁１の長手方向と直交する方向で隣り合う床パネル２が配置されるので、梁１の上側のフランジ３には、ウェブ４を境にして、それぞれの部分に一対ずつのピン孔１１が並んだ状態であり、ウェブ４を挟んで隣り合う床パネルどうしが略同じ配置で配置される場合には、一箇所に４つのピン孔１１が配置された状態となる。
【００２８】
床パネル２は、長尺な矩形状の板体であり、その長手方向の両端部が梁１の上側のフランジ３に載置された状態となる。ここで、梁１のフランジ３のピン孔１１に下側から挿入された接合金物５のピン５１が上側のフランジ３の上面より上に突出するようになっている。また、ピン５１の近傍には、接合金物５の後述の仮固定用ばね（仮固定部材）５２がフランジ３の上面より上に突出するようになっている。
【００２９】
そのため、そのままでは、床パネル２の端部をフランジ３上に載置できないので、床パネル２にフランジ３上に突出するピン５１および仮固定用ばね５２を逃げるための切欠部２１が設けられている。なお、切欠部２１は、床パネル２の支持部耐力に支障がないように、必要最小限に近い深さと大きさとする。
【００３０】
この例では、一対のピン５１の間となる位置に仮固定用ばね５２が配置されるとともに、仮固定用ばね５２の方がピン５１より床パネル２の端面から離れて位置にあるので、切欠部２１は、床パネル２の中心線を挟んで配置される一対のピン５１の間隔に対応して、床パネル２の端部の幅方向（梁１の長手方向に平行な方向）の中央部に設けられる。
また、切欠部２１の形状が概略半円状とされ、床パネル２の端面側に前記半円（円弧）の弦側が配置されるとともに半円状の切欠部２１の弦側が床パネル２の端面で開放された状態となっている。
【００３１】
この切欠部２１の床パネル２の端面側となる幅の広い部分に一対のピン５１が配置され、ピン５１より端面から遠い側にあり、一対のピン５１の間隔より幅の狭い仮固定用ばね５２が半円状の切欠部２１の幅の狭くなった部分に配置される。これにより、切欠部２１の大きさが略必要最小限のものとなる。
【００３２】
また、床パネル２の端部で、梁の上側のフランジ３に載っている部分より長手方向の中央側には、幅方向の中央部に床パネル２を上下に貫通するボルト孔２２が形成されている。また、床パネル２の上面の前記ボルト孔２２の周囲には、ボルト孔２２を中心とする座掘り２３が形成されている。
また、ボルト孔２２を有する座掘り２３と床パネル２の端面との間には、床パネル２の支持部耐力に支障がないように、床パネル２の板厚程度の間隔があけられている。
【００３３】
ボルト孔２２は、接合金物５の後述のボルト５３が貫通され、ボルト５３と座金５９およびナット７７により床パネル２が接合金物５に締結されるようになっている。また、ボルト孔２２とボルト５３との間には、湿式材料としてのグラウト材３１が充填されるので、ボルト孔２２の直径（内径）は、施工誤差を吸収し、かつグラウト材３１が確実に注入できるように、ボルト５３の直径よりも１０ｍｍ程度大きく設定することが好ましい。なお、湿式材料とは、建築施工後に硬化して強度を発現する材料であり、セメントミルク等のグラウト材３１が例示される。
座掘り２３は、その直径は、座金５９の直径よりも大きくし、その深さは、ボルト５３のねじ部余長を見込んでボルト５３が床パネル２の上面から突き出さない範囲でできるだけ小さい深さとする。
【００３４】
接合金物５は、ベース板５４と、前記ピン５１と、前記仮固定用ばね５２と、前記ボルト５３を備えるものである。
ベース板５４は、梁１の上側のフランジ３の下面に当接する梁当接部５５と、床パネル２の端部のフランジ３に載せられる部分より中央側の下面に当接するパネル当接部５６と、梁当接部５５とパネル当接部５６との間となる中間部５７とを備えている。
【００３５】
フランジ３の下面と、床パネル２の下面との間には、フランジ３の板厚分の高さの違いがあるので、中間部５７は、水平な梁当接部５５およびパネル当接部５６に対して斜めとなるように形成されている。
また、中間部５７には、その幅方向（梁１の長手方向と平行な方向）の中央部に後述のように仮固定用ばね５２を貫通させる開口部５８が形成されている。
【００３６】
ベース板５４の梁当接部５５には、幅方向に沿って並んだ状態に一対の前記ピン５１が溶接されている。ピン５１は、その下端部が梁当接部５５に設けられた貫通孔を貫通した状態で、梁当接部５５の下面側で当該梁当接部５５に強固に溶接されている。また、ピン５１の上端部は、ピン孔１１への挿入を容易とするために、円錐台状とされている。なお、ドーム状としてもよい。
【００３７】
なお、後述のように接合金物５と梁１との間で水平方向の力を伝達することから、ピン５１の梁当接部５５に接合される基端部には、剪断力に基づいて、曲げ応力が作用する。したがって、ピン５１の基端部は、梁当接部５５に強固に溶接される必要がある。
また、ピン５１を二本としたのは、梁１に対して接合金物５の回転を規制するためである。
【００３８】
ピン孔１１にピン５１を容易かつ円滑に挿入できるようにするには、ある程度のクリアランスが必要となるが、ここでは、例えば、ピン孔１１の内径がピン５１の外径に１ｍｍ程度を加算した値以下となるようにしており、がたがでるのを抑制している。なお、クリアランスとなる値は、ピン孔１１やピン５１の径の値によって異なるものとなる。
ピン孔にピン５１が挿入されることで、梁１に対して接合金物５の水平方向への移動が規制されるとともに、梁１と接合金物５との間で水平方向の力が伝達されるようになっている。
【００３９】
また、ベース板５４の一対のピン５１の間となる位置には、前記仮固定用ばね５２が設けられている。仮固定用ばね５２は、帯状の金属板（薄い鋼板）を屈曲させることにより形成された板ばねであり、ベース板５４の下面に溶接により固定される固定部７１と、略水平な固定部７１から９０度曲げられて下側に向かった後にＵ字状に湾曲して上側に向かうＵ字部７２と、Ｕ字部７２から更に上側に延出して開口部５８を貫通する延出部７３と、延出部７３の上端から梁１の上側のフランジ３の上面に係止されるように屈曲した係止部７４と、上に向かう程、係合すべきフランジ３から離れるように斜めにされた傾斜部７５とを備えている。
【００４０】
ピン５１を上側フランジ３のピン孔１１に挿入した際に、仮固定用ばね５２の係止部７４がフランジ３の側縁部に係止され、ピン孔１１に挿入されたピン５１と仮固定用ばね５２とにより接合金物５が梁１の上側のフランジ３に仮固定される。
ピン孔１１にピン５１を挿入する場合に、上述のように接合金物５の水平方向の移動が規制された状態で、上側のフランジ３の側縁部に、仮固定用ばね５２の最も上側となる傾斜部７５が接触する。この状態で、傾斜部７５の下側の係止部７４を上側フランジ３の側縁部に係止しようとすると、傾斜部７５がフランジ３の側縁部に押し付けられてフランジ３から離れる方向に係止部７４が移動する。この際には、仮固定用ばね５２のＵ字部７２、延出部７３等が弾性変形することで、係止部７４が移動する。
【００４１】
このように移動した係止部７４が下側からフランジ３の側面に接触し、されに上に移動し、フランジ３を乗り越えたところで、フランジ３側に移動して、フランに３の側縁の上面に係止された状態となることで、接合金物５が梁１に仮固定される。
前記ボルト５３は、通常の例えば六角形状の頭部と、棒状の雄ねじ部とを有するものであり、接合金物５のベース板５４のパネル当接部５６に設けられている。
ボルト５３は、パネル当接部５６に形成された雄ねじ部の外径より僅かに大きな内径を有する挿入孔に下側から挿入され、頭部がパネル当接部５６の下面に溶接されることで、パネル当接部５６から雄ねじ部が垂直に上側に延出するようにパネル当接部５６にボルト５３が固定される。
【００４２】
ボルト５３は、上述のように梁１の上側のフランジ３のピン孔１１にピン５１を挿入するとともに、仮固定用ばね５２をフランジ３に係止した際に、床パネル２のボルト孔２２に挿入されるようになっている。また、上述のように接合金物５を梁１に仮固定した際に、接合金物５のパネル当接部５６が梁１上の床パネル２の下面側に配置されるとともに、ボルト５３が床パネル２のボルト孔２２に挿入され、ボルト５３（雄ねじ部）の上端部が床パネル２の上面に形成されたボルト孔２２の座掘り２３内に配置されるようになっている。このボルト５３の上端部には、座金５９を介してナット７７が螺合され、ナット７７を締め付けることで、接合金物５が床パネル２に締結される。
【００４３】
前記座金５９は、ボルト５３より大きな径のボルト孔２２に対して、ナット７７によりボルト５３を床パネル２に確実に締結するために、ナット７７およびボルト孔２２より大きな径を有するものである。
したがって、ボルト孔２２は、座金５９により閉塞されてしまうが、座金５９には、ボルト５３を貫通させるボルト貫通孔７８が形成されるだけではなく、ボルト貫通孔７８と交差して連通するように、長孔７９が形成されている。この長孔７９の長手方向の長さは、例えば、ボルト貫通孔７８の３倍程度となっており、ボルト貫通孔７８から長孔７９が左右に延出した状態となっている。
【００４４】
座金５９のボルト貫通孔７８にボルト５３を通してナット７７をボルト５３に螺合した状態では、ボルト貫通孔７８は、ボルト５３とナット７７により閉塞された状態となるが、長孔７９は、その中央部（ボルト貫通孔７８と重なる部分）がボルト５３とナット７７とにより閉塞されるが、中央部を除く左右の部分は、開放された状態となっている。長孔７９の左右の開放部分のうちの一方からグラウト材３１を注入するようになっている。なお、周知のグラウト材３１を使用可能であるが、比較的狭い空間に隙間無くグラウト材３１を注入できるように、グラウト材３１として流動性の高いものを用いることが好ましい。
【００４５】
グラウト材３１をボルト孔２２に注入すると、ボルト孔２２の下側が、床パネル２の下面に当接している接合金物５のパネル当接部５６により閉塞されているので、ボルト孔２２の下側からグラウト材３１が漏れることなく、ボルト孔２２の内周面とボルト５３の外周面との間に充填される。この際に、ボルト孔２２にグラウト材３１が満杯となるように充填された際に、例えば、座金５９の長孔７９の他方の開放された部分からグラウト材３１が溢れて排出され、グラウト材３１が満杯となったことがわかるようになっている。
本発明のように湿式材料（グラウト材３１）を利用すると、ボルト孔２２の直径を大きくして支圧面積を大きくすることができ、全体の支圧強度を高める効果がある。床パネル２がＡＬＣ板（軽量気泡コンクリート）の場合は、ボルト孔２２の単位面積当たりの支圧強度はプレキャストコンクリート板等と比べて小さいので、本発明が特に有効である。
【００４６】
以上のような梁１、床パネル２、接合金物５を有する剛床構造においては、平行に配置された２本の梁１に対して、長手方向を直交させた床パネル２が架け渡された状態に配置されるとともに、複数の床パネル２が長手方向に直交する方向に並べて敷き詰められている。なお、基本的には、このような構造が梁の長手方向に直交する方向に繰り返された状態となっている。
【００４７】
この状態で、接合金物５のピン５１が梁１の上側フランジ３のピン孔１１に挿入され、前記仮固定用ばね５２がフランジ３の側縁部に係止され、接合金物５のボルト５３が床パネル２に締結されている。これにより、接合金物５を介して、床パネル２の両端部がそれぞれ異なる梁１に接合された状態となっている。ピン５１は、ピン孔１１に挿入されているだけなので、床パネル２の上下方向の移動を許容する状態である。ただし、梁１のフランジ３の下面には、床パネル２に締結された接合金物５の梁当接部５５が当接し、フランジ３の上面には床パネル２の端部が当接しており、床パネル２の梁１に対する上下動は規制されている。これにより、ピン５１がピン孔に挿入されただけの状態であっても、床パネル２が梁１から浮き上がらないように梁１に固定されたことになる。
なお、ピン５１は、梁１と床パネル２との間で水平方向の力を伝達する部材として機能する。
【００４８】
また、接合金物５のボルト５３が床パネル２に締結され、さらにボルト孔とボルトの隙間に湿式材料が充填されることで、接合金物５と床パネル２との間で、水平方向の力を伝達することが可能となっている。ただし、一つの接合金物５にピンが２本あるのに対して、ボルト５３は一本しかないため、梁１に回転しないように接合された接合金物５に対して床パネル２の回転が許容されてしまう。
したがって、床面に剪断力が加わって床パネル２の両端をそれぞれ支持している並行する梁１がずれようとすると、個々の床パネル２は回転してこれに追随しようとする。その場合、隣り合う床パネル２同士には剪断ずれが発生する。逆に、このずれを止めれば個々の床パネル２の回転も止まり、床面の剪断力に抵抗できる構造となる。
【００４９】
そこで、この例では、鉄骨造建築物が住宅（集合住宅を含む）の場合に、一般的に床パネル２の上面に、床仕上げ材の前記下地材６として、合板もしくはパーティクルボードが配置されることを利用するようになっている。すなわち、このような下地材６を、少なくとも隣り合う床パネル２間に跨るように配置するとともに、複数（多数）のタッピンねじ等の接合部材で下地材６を床パネル２に固定することで、床パネル２の回転を止め、前記剪断ずれを防止するようになっている。
なお、ボルト５３を２本として回転止めとしてもよいが、ボルト５３の締め付け作業が倍増するとともに、床パネル２の各端部に近接して２本のボルト孔２２が形成されることにより、ボルト５３により力がかかる部分の強度の低下を招く虞があることからこの例では、下地材６により床パネル２の回転を止めるようになっている。
また、下地材６は、床パネル２の敷き詰められた部分の全面を覆うように配置される。
【００５０】
次に、このような剛床構造を構築するための剛床工法を説明する。
まず、現場で剛床構造を構築する前に、床パネル２の端部が載る梁１の上フランジ３に、当該フランジ３上に上述のように敷き詰められる床パネル２の中心線を挟んで対称に1対のピン孔１１をあけて置く。
これら床パネル２の両端部には、下面の中心線上に切欠部２１を設けておく。また、中心線上で両端から若干離れた上面に座掘り２３を設け、さらにその中央にボルト孔２２を設けておく。
【００５１】
前記梁１と梁１上に載せられる床パネル２の端部との接合に、上述のベース板５４の片面に１対のピン５１と１本のボルト５３および仮固定用ばね５２が固着された形状の接合金物５を用いる。
床パネル２を梁１のフランジ３の上に設置した後、一対のピン５１が梁１の上側のフランジ３の一対のピン孔１１に挿入され、ボルト５３が床パネル２のボルト孔２２に挿入されるように接合金物５を下側から当接させる。その際、仮固定用ばね５２が梁１のフランジ３をくわえるように係合するまで接合金物５を上側に押し込むことで、仮固定用ばね５２により接合金物５を梁１に仮固定し、接合金物５が後述のようにボルト５３にナット７７を螺合させて床パネル２に締結されるまで落下しないようにする。
【００５２】
次に、床パネル２の座掘り２３内に突出したボルト５３の雄ねじ部に長孔７９付きの座金５９とナット７７を設置し、ナット７７を締め付ける。
次に、床パネル２のボルト孔２２とボルト５３との隙間に座金５９の長孔７９の一方の端部からグラウト材３１を注入して固定する。
全ての床パネル２を接合金物５により梁１に固定した後に、床パネル２の上に床パネル２どうしの間の目地部を跨いで下地材６を敷き詰め、タッピンねじ８０で床パネル２に固定する。
【００５３】
以上のような剛床構造および剛床工法によれば、床パネル２と梁１とが設置が容易な接合金物５で接合されるとともに、床パネル２間に跨って配置される下地材６で床パネル２の回転が規制されることにより、床面に作用する面内剪断力を梁１、床パネル２、接合金物５、下地材６等により負担することができる。したがって、ＡＬＣの床パネルを用いた床構造を従来より簡単な構造でかつ容易な施工により床面ブレースおよび横座屈止めを必要としない剛床構造とすることができる。
【００５４】
したがって、床面ブレースや横座屈止めが不要となり、ＡＬＣ等の床パネル２を用いた床構造を剛床構造とする際の施工の手間の削減とコストの低減を図ることができる。さらに、床パネル２を用いた床構造において、床構造の下側の天井側に配置される床面ブレースが無くなることで、天井の設備配管工事や吸音材工事、カーテンボックス工事等が容易となる。
【００５５】
また、上記接合金物５と梁１と接合においては、梁１の上側フランジ３の下面から接合金物５のピン５１を上側フランジ３のピン孔１１に挿入するとともに、床パネル２のボルト孔２２にボルト５３を挿入することにより、仮固定用ばね５２が梁１の上側フランジ３の側縁部に係合されて、梁１に接合金物５が落下しないように仮固定されるので、作業性が良好となる。
【００５６】
例えば、接合金物５の梁１への仮固定は、梁１上に複数の床パネル２を敷き詰めてから、床の下側の下階となる部分から、脚立を使って簡単に行うことができる。なお、床パネル２を施設しながら、床パネル２に乗った状態で床パネル２の下側となる梁１に接合金物５を取り付けることも可能である。また、何らかの理由により接合金物５を取り外す必要が生じた場合に、接合金物５の開口部５８から指や治具を挿入して仮固定用ばね５２を弾性変形することで、梁１のフランジ３から取り外すことができる。
【００５７】
また、梁１と接合金物５の接合は、基本的にはフランジ３のピン孔１１にピン５１を挿入するだけであり、極めて容易なものとなる。なお、最終的には、接合金物５のボルト５３を床パネル２に締結することで、上述のように梁１に対する床パネル２の上下動も規制される。
また、梁１に接合金物５を取り付ける際に、ピン５１に代えてボルトを使用するものとすると、フランジ３上に突出するピン５１や仮固定用ばね５２を避けるためだけに形成された床パネル２の切欠部２１をボルトへのナットの締結などの作業用スペースを有する大きなものとする必要が生じる可能性があり、床パネル２の強度の確保が難しくなる。
【００５８】
また、この例において、床パネル２側の加工は、上述の切欠部２１とボルト孔２２とその座掘り２３だけでよい。すなわち、簡単な形状の加工だけでよく、床パネル２の加工によるコストの増加と強度の低下を防止することができる。特に、床パネルがＡＬＣ場合に、上述の加工は、極めて一般的な設備や工具で行うことが可能であり、例えば、ドリル、回転刃等で床パネル２を加工でき、コストの増加が防止される。
【００５９】
また、床パネル２と接合金物５の接合においては、梁１に接合金物５を仮固定することで、床パネル２の上面の座掘り２３内に接合金物５のボルト５３の上端部が露出した状態となり、床パネル２の上側から座金５９とナット７７を利用して容易に締結作業を行うことができる。また、床パネル２に対して２本のボルト５３の締結作業を行うだけでよいので作業量も少ないものとなる。
また、接合金物５は、梁１の上側フランジ３と当該フランジ３に載せられる床パネル２の端部とをつなぐ状態となるので、長さを短くすることができる。また、接合金物５は、床パネル２の長さに対してかなり短いベース板５４に、ピン５１、仮固定用ばね５２、ボルト５３を設けるだけなので、軽量化することができ、保管や取り扱いが容易である。
【００６０】
また、ピン５１は強固にベース板５４に固定される必要があるが、仮固定用ばね５２は仮固定用なのでピン５１のように強固に固定される必要がなく、ボルト５３も最終的にベース板５４および床パネル２に締結された状態となるので、強固に固定される必要がなく、これらの溶接作業を簡便なものとすることができる。
ボルト５３の外周面と、床パネル２のボルト孔２２の内周面との間には、グラウト材３１が注入されるが、注入量が僅かなものなので、注入に長い時間を取られることがなく、かつ、グラウト材３１の注入にかかるコストも僅かなものとなる。
【００６１】
図８は、剛床構造の変形例を示すものであり、床パネル２と、梁１との接合は、上記例と同様に接合金物５を用いて行われるが、床パネル２上に下地材６が設けられない構造となっている。
一般に、鉄骨造建築物が住宅として用いられる場合には、下地材６が設けられる場合が多いが、住宅以外の建築物においては、下地材６が設けられない可能性がある。この変形例は下地材６が設けられない場合についてのものであり、床面に剪断力がかかって上述のように床パネル２が回転して床パネル２に剪断ずれが起きるのを防止する下地材６に代えて、隣接する床パネルどうしで互いに当接する側縁部に剪断ずれが起きるのを防止する構造が設けられてものである。
【００６２】
この変形例において、前記剪断ずれを防止する構造を除いて、床パネル２、梁１、接合金物５の構造は、上記例と同様のものとなっている。
床パネル２の長手方向に沿った側縁部には、半円柱状の切欠部８２が形成されている。切欠部８２は、床パネル２の側縁部の二箇所に床パネル２の長手方向い並んで形成されるとともに、床パネル２の端面からは、前記座掘り２３より離れた位置に配置され、かつ、二箇所の切欠部８２間の距離が端面から近い方の切欠部８２までの距離より長くなっている。
【００６３】
また、切欠部８２は、床パネル２の上面側に開放されるが、下面側は閉塞した状態となっている。また、切欠部８２が半円状であることから、半円の円弧ではなく弦側が床パネル２の側面に開放した状態となっている。
上述のように床パネル２を敷き詰めた状態で、隣り合う床パネル２の側縁部どうしの切欠部８２は、互いに側面の開放側が重なるように配置され、２枚の床パネル２に渡る円柱状の凹部となる。なお、凹部は底が閉塞した状態となっている。
【００６４】
この隣り合う床パネル２の重なって配置された切欠部８２に、例えば硬化材としてのモルタルを注入した場合に、上述のように二つの切欠部８２から形成される穴（凹部）は、下側が閉塞した状態なので、モルタルが流出せずに溜まることになり、溜まったモルタルが硬化する。これにより、隣り合う床パネルどうしの間にかかる剪断力により、互いに側面に沿ってずれる方向の移動が防止される。すなわち、切欠部８２内で二つの床パネルにまたがって存在する移動規制部材としてのモルタルにより、床パネル２間で剪断応力が伝達される。
【００６５】
したがって、床面に剪断力が加わって床パネル２の両端をそれぞれ支持している並行する梁１がずれようとすると、個々の床パネル２は回転してこれに追随しようとして、床パネルどうしの間で剪断ずれが生じるが、この剪断ずれが隣り合う切欠部８２にモルタルを注入することで防止され、剛床構造となる。
また、一般的な設備や工具で半円柱状の切欠部８２を形成でき、床パネル２の加工によるコストの増大を防止できる。また、硬化材としてのモルタルの使用量は僅かであり、コストの増大を防止できる。また、単に穴にモルタル（このほか、硬化材としては、前述のグラウト材やコンクリート等でもよい）を注入するだけなので作業性もよい。これにより、下地材６なしでも、前記例と同様の作用効果を奏することができる。
【符号の説明】
【００６６】
１        梁（鉄骨梁）
１１      ピン孔
２        床パネル
２２      ボルト孔
３        フランジ
５        接合金物（接合部材）
６        下地材（移動規制部材）
５１      ピン
５２      仮固定用ばね（仮固定部材）
５３      ボルト
５４      ベース板（ベース部材）
５５      梁当接部
５６      パネル当接部
５９      座金
７７      ナット
８２      切欠部
【図１】
2011111818.tif 000003
【図２】
2011111818.tif 000004
【図３】
2011111818.tif 000005
【図４】
2011111818.tif 000006
【図５】
2011111818.tif 000007
【図６】
2011111818.tif 000008
【図７】
2011111818.tif 000009
【図８】
2011111818.tif 000010